(57)【要約】【課題】棚受金による断熱箱体の内壁面の傷付きを防止する。【解決手段】断熱箱体に内壁面１２ｂに、上下方向に所要間隔で複数の係止孔２６を開設する。上下一対の係止孔２６,２６と整合する間隔で一対の通孔５０ａ,５０ａを開設した薄板のスペーサ５０を、係止孔２６,２６および通孔５０ａ,５０ａを整合させた状態で前記内壁面１２ｂに配置する。この状態で棚受金３０の係止片３６ａ,３６ｂが通孔５０ａ,５０ａを介して係止孔２６,２６に係合することで、該棚受金３０の端部３２ａ,３４ａと内壁面１２ｂとの間に前記スペーサ５０が介在するようになっている。【選択図】図１
2005055040.tif 000002
【特許請求の範囲】
【請求項１】
断熱箱体(12)の内壁面(12b)に上下方向に所要間隔で開設した複数の係止孔(26)と、所要数の該係止孔(26)に各対応の係止片(36)を係合させることで前記内壁面(12b)に取付けられ、物品載置用の棚部材(28)を支持する棚受金(30)とからなる貯蔵庫の棚受構造において、
所要数の通孔(50a)を有するスペーサ(50)を、前記所要数の該通孔(50a)と各対応の係止孔(26)とを整合させた状態で前記内壁面(12b)と前記棚受金(30)との間に介在させると共に、該棚受金(30)の内壁面(12b)に対向する端部を該スペーサ(50)に当接させるよう構成した
ことを特徴とする貯蔵庫の棚受構造。
【請求項２】
前記スペーサ(50)は、前記係止孔(26,26)の開設間隔で一対の通孔(50a,50a)が開設され、
該通孔(50a,50a)と係止孔(26,26)とを整合した状態で前記内壁面(12b)に配置し、前記棚受金(30)に形成された上下一対の係止片(36a,36b)が、該通孔(50a,50a)を介して係止孔(26,26)に夫々係合される請求項１記載の貯蔵庫の棚受構造。
【発明の詳細な説明】
【技術分野】
【０００１】
この発明は、冷蔵ショーケースや温蔵庫等の貯蔵庫において、貯蔵物品が載置される棚部材を収納室の所要位置で支持する貯蔵庫の棚受構造に関するものである。
【背景技術】
【０００２】
図４または図５に示すように、食品や飲料品等の物品を冷蔵、冷凍や保温等して保存する貯蔵庫１０は、内箱１４と外箱１６とで画成される空間部分に断熱材１８を充填した断熱箱体１２を本体とし、この断熱箱体１２の内部には、物品を収納するための収納室２０が画成される。この収納室２０には、前方に開放する矩形状の開口部１２ａが開設され、該開口部１２ａは、ヒンジ２１,２１で回動自在に支持された扉２２により開閉可能に閉成される。
【０００３】
前記収納室２０内には、室内スペースを有効に利用するため、物品を載置する棚部材２８が必要に応じて設置される。この棚部材２８を前記収納室２０の所要位置に保持する棚受構造は、前記断熱箱体１２の側壁面(内壁面)１２ｂを構成する内箱１４に開設された複数の係止孔２６と、該係止孔２６に取付けて棚部材２８を支持する棚受金３０とから構成されている。前記断熱箱体１２における幅方向に対向する両側壁面１２ｂ,１２ｂの夫々において、前後方向に離間する部位に前記係止孔２６は上下方向に複数開設される。そして、各係止孔２６の開設高さおよび間隔は同一となるよう設定され、同一水平面の係止孔２６に棚受金３０を取付けた際に、該棚受金３０に載置される棚部材２８が水平になるよう構成されている。このように、前記収納室２０内に突出して設けられる棚柱に係止孔を設ける構造ではなく、断熱箱体１２の側壁面１２ｂに直接係止孔２６を開設する構造とすることで、前記収納室２０を広く利用し得る(例えば、特許文献１参照)。
【０００４】
図６に示すように、前記棚受金３０は、板材を鋭角に折曲して、棚部材２８を支持する載置部３２および載置した物品の荷重を受ける支持部３４を有する略Ｖ字状に形成される。また、前記載置部３２および支持部３４の各端部３２ａ,３４ａには、前記係止孔２６に挿入し得る係止片３６(３６ａ,３６ｂ)が夫々形成され、該係止片３６(３６ａ,３６ｂ)を上下一対の係止孔２６,２６に挿入することで、前記載置部３２の上面が水平な状態で収納室２０の内方に向けて延在して、前記側壁面１２ｂに対し着脱自在に保持されるようになっている。そして、前記側壁面１２ｂに位置決め固定された棚受金３０の載置部３２に棚部材２８が載置される。すなわち、前記棚受金３０の上下の配設数および係止孔２６に対する設置位置を調整することで、前記棚部材２８の設置高さおよび上下の間隔や設置数の増減が適宜調整される。
【特許文献１】登録実用新案第２５８２６２９号公報
【発明の開示】
【発明が解決しようとする課題】
【０００５】
ところで、前記棚受金３０は、側壁面１２ｂに開設された一対の係止孔２６,２６に対し各端部３２ａ,３４ａに設けられた係止片３６ａ,３６ｂを挿入し、各端部３２ａ,３４ａを該側壁面１２ｂに当接させることで、前記載置部３２に載せられた棚部材２８を水平に保持し、該棚部材２８に載置された物品の荷重を支持するよう構成されている。すなわち、前記棚部材２８への物品の載置または棚受金３０の着脱の際に、前記棚受金３０の各端部３２ａ,３４ａと側壁面１２ｂとが摺擦して、該側壁面１２ｂに傷を付けてしまう虞れがあった。特に側壁面１２ｂの材料として塗装鋼板が用いられている場合、側壁面１２ｂが傷付くことで、表面の塗膜が剥離し、そこから錆等を生じ、最悪の場合は棚部材２８が落下する可能性もある。
【０００６】
すなわちこの発明は、従来の技術に係る貯蔵庫の棚受構造に内在する前記問題に鑑み、これらを好適に解決するべく提案されたものであって、係止孔が設けられた内壁面と棚受金との間にスペーサを介在させることで、棚受金の取付け部位の傷付きを防止し得る貯蔵庫の棚受構造を提供することを目的とする。
【課題を解決するための手段】
【０００７】
前記課題を克服し、所期の目的を達成するため、本発明に係る貯蔵庫の棚受構造は、
断熱箱体の内壁面に上下方向に所要間隔で開設した複数の係止孔と、所要数の該係止孔に各対応の係止片を係合させることで前記内壁面に取付けられ、物品載置用の棚部材を支持する棚受金とからなる貯蔵庫の棚受構造において、
所要数の通孔を有するスペーサを、前記所要数の該通孔と各対応の係止孔とを整合させた状態で前記内壁面と前記棚受金との間に介在させると共に、該棚受金の内壁面に対向する端部を該スペーサに当接させるよう構成したことを特徴とする。
【発明の効果】
【０００８】
本発明に係る貯蔵庫の棚受構造によれば、係止孔が設けられた内壁面と棚受金との間にスペーサを介在させることで、棚部材への物品の載置または棚受金の着脱に際し、棚受金が直接内壁面に当接しないため、該内壁面を傷付けることを防止することができる。従って、錆等の発生を抑制して、強度の低下を防ぎ棚受構造の長寿命化を図ることができる。
【発明を実施するための最良の形態】
【０００９】
断熱箱体に内壁面に、上下方向に所要間隔で複数の係止孔を開設する。上下一対の係止孔と整合する間隔で一対の通孔を開設した薄板のスペーサを、係止孔および通孔を整合させた状態で前記内壁面に配置する。この状態で棚受金の係止片を、前記通孔を介して係止孔に係合させることで、該棚受金の端部と内壁面との間に前記スペーサが介在するようになっている。
【実施例】
【００１０】
次に、本発明に係る貯蔵庫の棚受構造につき、好適な実施例を挙げて、添付図面を参照して以下に説明する。なお、説明の便宜上、図４〜図６に示した貯蔵庫の棚受構造の構成要素と同一の要素については、同一の符号を使用して詳細な説明は省略する。
【００１１】
図１および図２は、断熱箱体１２の側壁面(内壁面)１２ｂにスペーサ５０を介して棚受金３０を取付けた状態を示している。このように、実施例に係る棚受構造は、断熱箱体１２の側壁面１２ｂに上下方向に開設された複数の係止孔２６と、該係止孔２６に取付けて棚部材２８を支持する棚受金３０と、該係止孔２６が開設された側壁面１２ｂおよび棚受金３０の間に介在させたスペーサ５０とから基本的に構成されている。また前記棚部材２８は、矩形状に形成した枠材に格子状に線材を組合わせた網状に形成されたものが採用されてる(図６参照)。なお、前記棚部材２８は、載置する物品の重量を保持できる適切な強度や該物品の大きさ等の関係で多種のものが採用され、例えばトレー状のものであってもよい。
【００１２】
前記係止孔２６は、前記断熱箱体１２の側壁面１２ｂに上下方向に一定間隔で開設されている。実施例では、幅方向に対向する両側壁面１２ｂ,１２ｂの夫々について、開口部１２ａに近接する部位および後壁面に近接する部位に係止孔２６が夫々設けられている。そして、各係止孔２６の開設高さおよび間隔は同一に設定され、同一水平面の係止孔２６に後述する棚受金３０を取付けた際に、該棚受金３０に載置される棚部材２８が水平になるよう構成されている。
【００１３】
前記棚受金３０は、板状の本体を鋭角に折曲することで、棚部材２８が載置される載置部３２と、該載置部３２に加わる荷重を支持する支持部３４とを有する略Ｖ字状に形成されている。前記載置部３２は、前記係止孔２６に棚受金３０を取付けた際に、その上面が水平に延在して棚部材２８を載置支持するよう機能する部位である。前記載置部３２の端部３２ａには、前記係止孔２６に挿入し得る幅寸法であって、前記載置部３２の幅寸法より短幅に設定された第１係止片３６ａが形成されている。この第１係止片３６ａは、前記載置部３２の端部３２ａから後述するスペーサ５０および内箱１４の板厚分以上より突出した部位から外方に略直角に屈曲した鉤状に形成されている。また、前記係止孔２６に引掛後の脱落を防止するために、前記第１係止片３６ａにおける外方への屈曲後の延出寸法は係止孔２６の上下幅より大きく設定されている。
【００１４】
前記支持部３４は、前記側壁面１２ｂに棚受金３０を取付けた際に傾斜状態で位置して、前記載置部３２に載置した棚部材２８上に置かれた物品の荷重を実質的に受けるものであって、その端部３４ａには、内方に略直角に屈曲した第２係止片３６ｂが形成されている。前記第２係止片３６ｂは、前記係止孔２６に挿入し得る幅寸法であって、前記支持部３４の幅寸法より短幅に設定されている。そして、前記載置部３２の端部３２ａから支持部３４の端部３４ａまでの間隔は、隣り合う上下一対の係止孔２６,２６の間隔より僅かに大きくなる程度に設定してある。
【００１５】
また、略Ｖ字状に形成した前記棚受金３０の頂部には、前記載置部３２および支持部３４を跨いで切込部４０が開設され、該切込部４０を切り欠いた部分は載置部３２の上辺より垂直に立上がり、前記載置部３２に載置された棚部材２８の水平方向の位置決めをする掛止片４２として機能する。また前記切込部４０は、前記棚受金３０の着脱を容易に行ない得るよう機能している。
【００１６】
前記スペーサ５０は、少なくとも隣り合う上下一対の係止孔２６,２６を覆い得る共に、前記棚受金３０の端部３２ａ,３４ａと当接し得る寸法に設定された矩形状の薄板であって、隣り合う上下一対の係止孔２６,２６と整合する間隔(開設間隔)で離間した一対の通孔５０ａ,５０ａが開設されている。また、この通孔５０ａは、前記係止孔２６の寸法より大きく設定されている。
【００１７】
次に、実施例に係る貯蔵庫の棚受構造の作用について説明する。前記棚受金３０を前記側壁面１２ｂの係止孔２６に取付けるに先立って、前記スペーサ５０を隣り合う上下一対の係止孔２６,２６に対して通孔５０ａ,５０ａを整合させた状態で側壁面１２ｂに配置する。そして、前記棚受金３０を、前記載置部３２を上方に位置した状態で第１係止片３６ａを一方の通孔５０ａおよび係止孔２６(前述した一対の通孔５０ａ,５０ａおよび係止孔２６,２６のうち上方に位置するもの)に挿入する。次に、前記載置部３２および支持部３４を挟圧して前記棚受金３０の開放端を狭めるよう撓ませた状態で、該支持部３４の第２係止片３６ｂを他方の通孔５０ａおよび係止孔２６に挿入した後、挟圧状態を解除することで、該棚受金３０はスペーサ５０を介在させた状態で側壁面１２ｂに固定される。この作業を同一平面上に位置する一対の係止孔２６,２６について夫々行ない、各棚受金３０の載置部３２に棚部材２８の側端部を載置することで、該棚部材２８は収納室２０内に水平に設置される。
【００１８】
前記スペーサ５０を、前記側壁面１２ｂと棚受金３０との間に介在させることで、該棚受金３０の端部３２ａ,３４ａはスペーサ５０に当接し、前記棚部材２８を介して棚受金３０に加わる載置した物品の荷重による該棚受金３０の端部３２ａ,３４ａの摺擦移動は、該スペーサ５０で受けることになる。また、前記棚受金３０の係止孔２６に対する着脱に際しても、該側壁面１２ｂの表面を覆うスペーサ５０で、該棚受金３０の端部３２ａ,３４ａまたは係止片３６ａ,３６ｂの摺擦移動を受けることになる。すなわち、前記棚受金３０の端部３２ａ,３４ａは、前記断熱箱体１２の側壁面１２ｂに直接当接しないから、当該側壁面１２ｂの傷付きを防止することができる。従って、断熱箱体１２の側壁面１２ｂが傷付くことに起因する錆の発生を抑制することが可能である。
【００１９】
また、前記スペーサ５０は、薄板に隣り合う上下一対の係止孔２６,２６と整合する間隔で離間させて一対の通孔５０ａ,５０ａを開設した簡単な構成であるので、安価に製造することできる。従って、前記スペーサ５０を介在させることによる、コストの増加を最小限に抑えることができる。更に、前記スペーサ５０は薄板であるため、前記収納室２０内に突出することなく、室内スペースは従来通り広く確保することができる。
【００２０】
なお棚受構造は、棚受金における載置部３２の端部３２ａにのみ係止片３６を設けて、該係止片３６を係止孔２６に係合させると共に、支持部３４の端部３４ａがスペーサを介して前記断熱箱体１２の側壁面１２ｂに当接することで、載置した棚部材２８の荷重を支持する構成であってもよい。この場合、スペーサは、前記載置部に設けた係止片３６の挿通を許容し得る係止孔２６に整合する少なくとも１箇所の通孔５０ａを有し、前記支持部３４の端部３４ａと側壁面１２ｂとの間に介在し得る大きさに設定される。
【図面の簡単な説明】
【００２１】
【図１】本発明の好適な実施例に係る貯蔵庫の棚受構造を示す側断面図である。
【図２】実施例に係る貯蔵庫の棚受構造を示す正面図である。
【図３】実施例に係る貯蔵庫の棚受構造を示す概略斜視図である。
【図４】従来の棚受構造を設けた貯蔵庫を扉が開放した状態で示す正面図である。
【図５】従来の棚受構造を設けた貯蔵庫を示す側断面図である。
【図６】従来の貯蔵庫の棚受構造を示す概略斜視図である。
【符号の説明】
【００２２】
１２ 断熱箱体，１２ｂ 側壁面(内壁面)，２６ 係止孔，２８ 棚部材
３０ 棚受金，３６ 係止片(３６ａ 第１係止片，３６ｂ 第２係止片)
５０ スペーサ，５０ａ 通孔
【図１】
2005055040.tif 000003
【図２】
2005055040.tif 000004
【図３】
2005055040.tif 000005
【図４】
2005055040.tif 000006
【図５】
2005055040.tif 000007
【図６】
2005055040.tif 000008